(57)【要約】      （修正有）【課題】捕獲籠で捕獲した捕獲獣を容易に移動させることができ、移動中に別の捕獲籠を設置する手間および費用を省くことができるキャリー籠を提供する。【解決手段】キャリー籠６０を連結手段６６で捕獲籠１０の開口に連結し、キャリー籠６０の扉６２を開けて捕獲籠１０に収容されている捕獲獣をキャリー籠６０へ移動させた後、キャリー籠６０を捕獲籠１０から切り離す。これにより、捕獲籠１０で捕獲した捕獲獣をキャリー籠６０で容易に移動させることができるとともに、捕獲籠１０は移動させないので、捕獲獣の移動中に別の捕獲籠１０を設置する手間および費用を省くことができる。【選択図】図５
0003170556.tif 000002
【実用新案登録請求の範囲】
【請求項１】
捕獲籠に捕獲されている捕獲獣を運搬するためのキャリー籠であって、
前記捕獲獣を収容するキャリー籠本体と、
前記キャリー籠本体の開口に設けられ、他の捕獲籠の開口に連結するための連結手段と、
前記開口を開閉する扉と、を有することを特徴とするキャリー籠。
【請求項２】
前記扉が、スライド式扉であることを特徴とする請求項１に記載のキャリー籠。
【請求項３】
前記キャリー籠本体の上面に取っ手を有し、
前記キャリー籠本体の上面における前記取っ手の下方に防護手段を設けたことを特徴とする請求項１または２に記載のキャリー籠。
【考案の詳細な説明】
【技術分野】
【０００１】
本考案は、捕獲籠で捕獲した捕獲獣を移動させるためのキャリー籠に関する。
【背景技術】
【０００２】
従来より、捕獲獣を捕獲して収容する捕獲籠である例えばネズミ捕り器が知られている（例えば、特許文献１参照）。
図７に示すように、特許文献１に記載のネズミ捕り器１００は、前方に入口仕掛け部１０１、前方部屋部１０２、餌置き部１０３、後方入口仕掛け部１０４、後方部屋部１０５を有する。これら各部は、一枚の底板１０６の上に、設けられており、ネズミの通路が貫通して連なるようになっている。
【０００３】
従って、ネズミは、餌置き部１０３に置かれた餌に誘われて、進入口である前方入口仕掛け部１０１から前方部屋部１０２に入り、さらに、餌のある餌置き部１０３へと進む。その途中で、第１の仕掛け（図示省略）が作用することによって、前方入口仕掛け部１０１の進入口がふさがれてしまい、ネズミは後退することが出来なくなる。そこで、ネズミは、やむなく、前進が可能である後方入口仕掛け部１０４、そして、後方部屋部１０５へと徐々に進むこととなる。
そして、後方部屋部１０５へ進んだネズミは、第２の仕掛け（図示省略）が作用することによって、後方入口仕掛け部１０４の進入口がふさがれてしまい、ネズミは後退することが出来なくなってしまって、後方部屋部１０５に閉じこめられて、捕獲されることになる。
【先行技術文献】
【特許文献】
【０００４】
【特許文献１】特開２００８−３５８４４号公報（第１図）
【考案の概要】
【考案が解決しようとする課題】
【０００５】
前述した特許文献１に記載のネズミ捕り器１００のように、捕獲する対象が小さい場合には、ネズミを捕獲した後に、ネズミ捕り器１００ごと移動させることが容易である。
しかしながら、捕獲籠が大きい場合には、捕獲籠ごと捕獲獣を移動させることは容易ではない。また、捕獲獣を収容した捕獲籠を移動させている間は、別の捕獲籠の設置が必要になり、面倒であるとともに、コストがかかるという問題がある。
【０００６】
そこで、本考案は、上記問題点に解決するために、捕獲籠で捕獲した捕獲獣を容易に移動させることができ、移動中に別の捕獲籠を設置する手間および費用を省くことができるキャリー籠を提供することを目的とする。
【課題を解決するための手段】
【０００７】
上記課題を解決するために、本考案のキャリー籠は、捕獲籠に捕獲されている捕獲獣を運搬するためのキャリー籠であって、前記捕獲獣を収容するキャリー籠本体と、前記キャリー籠本体の開口に設けられ、他の捕獲籠の開口に連結するための連結手段と、前記開口を開閉する扉と、を有する構成を有している。
【０００８】
この構成により、キャリー籠を連結手段で捕獲籠の開口に連結し、キャリー籠の扉を開けて捕獲籠の捕獲獣をキャリー籠へ移動させた後、キャリー籠を捕獲籠から切り離す。
これにより、捕獲籠で捕獲した捕獲獣をキャリー籠で容易に移動させることができるとともに、捕獲籠は移動させないので、捕獲獣の移動中に別の捕獲籠を設置する手間および費用を省くことができる。
【０００９】
また、本考案のキャリー籠は、前記扉が、スライド式扉である構成を有している。
【００１０】
この構成により、キャリー籠の開口を開閉する扉がスライド式なので、キャリー籠を捕獲籠に連結した状態で、容易に開閉することができる。
【００１１】
さらに、本考案のキャリー籠は、前記キャリー籠本体の上面に取っ手を有し、
前記キャリー籠本体の上面における前記取っ手の下方に防護手段を設けた構成を有している。
【００１２】
この構成により、キャリー籠本体の上面に取っ手を有するので、キャリー籠を容易に移動することができる。この際、取っ手の下方に防護手段が設けられているので、取っ手を握る手を捕獲獣から保護することができる。
【考案の効果】
【００１３】
本考案によれば、捕獲籠で捕獲した捕獲獣をキャリー籠で容易に移動させることができるとともに、捕獲籠は移動させないので、捕獲獣の移動中に別の捕獲籠を設置する手間および費用を省くことができるという効果がある。
【図面の簡単な説明】
【００１４】
【図１】本考案にかかる第１実施形態の捕獲籠を示す斜視図である。
【図２】アライグマがエサに手を伸ばした状態の側面図である。
【図３】本考案にかかる第１実施形態のキャリー籠を示す斜視図である。
【図４】捕獲籠とキャリー籠の連結部を示す構成図である。
【図５】捕獲籠にキャリー籠を連結する状態を示す斜視図である。
【図６】捕獲籠とキャリー籠を連結した状態で捕獲籠に捕獲された捕獲獣をキャリー籠に移す状態を示す斜視図である。
【図７】本考案にかかる第２実施形態の捕獲籠を示す斜視図である。
【図８】従来のネズミ捕り器の断面図である。
【考案を実施するための形態】
【００１５】
（第１実施形態）
以下、本考案にかかる第１実施形態の捕獲籠について、図面を用いて説明する。
図１および図２に示すように、本考案にかかる第１実施形態の捕獲籠１０は、一面である前面に侵入口２１を有し、アライグマ等の捕獲獣１１（図２参照）を収容する収容部としての例えば矩形箱状の籠本体２０を有する。侵入口２１には前扉３０が開閉可能に設けられており、アライグマ等の捕獲獣１１が侵入した後に閉じられる。また、籠本体２０の後面には、捕獲されたアライグマ等の捕獲獣１１を取り出すための後扉４０が開閉可能に設けられている。
【００１６】
籠本体２０、前扉３０および後扉４０は、柵状あるいは網状のパネルにより構成される。これらは、丸鋼を折り曲げ、溶接して形成することができる。あるいは、金網を用いて形成することができる。これにより、籠本体２０、前扉３０および後扉４０は、多数の開口２０４を有することになる。
また、捕獲籠１０の全体を黒くして、捕獲対象の警戒心を弱めるのが望ましい。
【００１７】
籠本体２０は、例えば角柱形状を呈している。籠本体２０の内部奥側端部における上部には、奥行き方向（前後方向）に長く形成されたエサ台２３が設けられており、アライグマ等の捕獲獣１１を呼び込むためのエサ１２を載置する。エサ１２は、エサ籠２４に入れられており、エサ１２を手で引き寄せることにより、エサ籠２４はエサ台２３の上を移動して引き寄せられる。
なお、エサ１２を入れたエサ籠２４がエサ台２３の上を移動しやすいように、また、アライグマ等の捕獲獣１１がエサ籠２４に手を伸ばしやすいように、エサ台２３の上に載置したエサ籠２４の上方には、ある程度の空間２３１を確保する。
また、閉じた状態の後扉４０で、エサ台２３の後方に対応する位置には、プレートや細かい目の金網、シート等の保護部材４２を取り付けて、エサ台２３の後方を保護している（図１参照）。
【００１８】
図１および図２に示すように、前扉３０は、籠本体２０の前端において上下方向へ回動可能（図１中矢印Ａ）に設けられており、籠本体２０の上面パネル２０１の前端の部材は、前扉３０を回転可能に支持する回転軸２２となっている。これにより、前扉３０は、回転軸２２を中心として開閉可能かつ重力により閉じる方向へ付勢される。
前扉３０を回転軸２２に回転可能に取り付けるために、前扉３０を構成する縦桟３１のうちの複数本は、上端を円弧状に屈曲して、ヒンジ部３１１が形成されている。
従って、ヒンジ部３１１が回転軸２２で軸支されることにより前扉３０は上下方向へ開閉可能となる。
【００１９】
前扉３０には、全体コ字状に形成された支持部材３３が取り付けられている。支持部材３３を構成する一対の縦部材３３１、３３１は、前扉３０を構成する横桟３２に溶接等により接合されている。また、左右の縦部材３３１、３３１の上端を連結する横部材３３２は、前扉３０の上端よりも上方（前扉３０を閉じた状態で上方）に突出している。
従って、前扉３０は、回転軸２２を中心として鉛直方向から水平方向へ略９０度回転させると、支持部材３３の横部材３３２が籠本体２０の上面パネル２０１の上面に当接し、後述する仕掛け部５０により開状態に保持される（図２参照）。
【００２０】
図１および図２に示すように、籠本体２０を構成する左右両側面パネル２０２，２０３の前端には、前扉３０を閉じた状態にロックするロック部２５が設けられている。ロック部２５は、上下の斜材２５１，２５２と、上下方向のロック部材２５３とで、全体平行四辺形となっている。また、ロック部材２５３を下方へ延長して、下方に突出した外れ防止棹２５４が設けられている。
【００２１】
ロック部２５には、左右のロック部材２５３に沿って上下方向へ移動可能な全体長円形状をしたリング式錠２６が設けられている。リング式錠２６の長さは、籠本体２０の幅よりも大きい。また、リング式錠２６の一方の直線部２６１は、ロック部材２５３の内側（すなわち、前扉３０側）に位置し、他方の直線部２６２は、ロック部材２５３の外側（前方）に配置されている。
【００２２】
これにより、リング式錠２６は、ロック部２５から外れることなく、左右のロック部材２５３、２５３に沿って上下移動可能となっており、リング式錠２６が自重により下方位置にある場合には、リング式錠２６が閂として作用するので、前扉３０の開閉が阻止される。
この状態では、リング式錠２６はロック部２５の下側の斜材２５２に沿って下降しており、万が一捕獲籠１０が横転しても、リング式錠２６は外れ防止棹２５４に引っかかるので、上方へ移動するのを阻止される。従って、捕獲籠１０が横転しても、前扉３０を閉じた状態に保持する。
【００２３】
また、リング式錠２６をロック部材２５３の上端に移動させ、他方の直線部２６２を後方へ回転させることにより、他方の直線部２６２をロック部２５の上側の斜材２５１に引っ掛けることができる。
これにより、リング式錠２６の落下を防止して、前扉３０を開閉可能とすることができる。
【００２４】
図１および図２に示すように、上面パネル２０１の上側で前端部寄りの幅方向の中央位置には、前壁２７１および後壁２７２を有する全体コ字状をした軸受け部材２７が設けられている。前壁２７１および後壁２７２には、それぞれガイド孔２７１Ａ、２７２Ａが貫通して設けられている。
前後のガイド孔２７１Ａ、２７２Ａには、仕掛け部５０を構成する棒部材５１が、前後方向へ移動可能に貫通するとともに、軸受け部材２７から脱落しないように取り付けられている。棒部材５１は、少なくとも水平状態に開けた前扉３０の支持部材３３の横部材３３２に達するまで前方に移動可能であり、かつ、横部材３３２から離脱する位置まで後方へ移動可能となっている。
【００２５】
棒部材５１の後端部には、仕掛け部５０を構成するワイヤロープ５２の一端（前端）が締結されている。ワイヤロープ５２は、籠本体２０の上面パネル２０１の上側に沿って奥側へ配策され、籠本体２０の後端部において籠本体２０の内部に引き込まれる。そして、ワイヤロープ５２の他端（後端）は、エサ台２３に載置されているエサ籠２４に締結されている。
従って、エサ籠２４を前方へ移動させると、ワイヤロープ５２が後方へ引っ張られて、棒部材５１を後方へ移動させる。
【００２６】
図４にも示すように、籠本体２０の後部開口２０５には、後扉４０が上下方向にスライドして開閉可能となっている。後扉４０は、取っ手４１が上方に突出して設けられており、籠本体２０の側面パネル２０２、２０３の後端に上下方向に設けられているガイド部材２８に沿って上下方向へスライドする。
【００２７】
また、後扉４０の後側には、後述する第２の捕獲籠であるキャリー籠６０を連結するために、捕獲籠側の連結手段として断面コ字状のガイドレール２９を有する。なお、キャリー籠６０を連結するためのガイドレール２９と、後扉４０の開閉をガイドするためのガイド部材２８とを、一体で設けることもできる。
【００２８】
図１に示すように、捕獲籠１０には、前扉３０や側面パネル２０２、２０３や上面パネル２０１等の開口２０４に挿入することにより、籠本体２０に収容されているアライグマ等の捕獲獣１１を所定の方向（奥側）へ移動させる追い込み具７０を別個に有する。追い込み具７０は、複数本の棒部材７１と、これら棒部材７１を連結する連結部材７２から、櫛状に形成されている。複数本の棒部材７１は、前扉３０や側面パネル２０２、２０３や上面パネル２０１等の開口２０４の間隔に対応しており、開口２０４から挿入可能となっている。
【００２９】
追い込み具７０は、少なくとも２個以上を一組として用いるのが望ましい。
これにより、追い込み具７０を、側面パネル２０２、２０３や上面パネル２０１等の開口２０４のうちの前側の開口２０４から順次奥側の開口２０４に挿入し、前側の開口２０４に挿入した追い込み具７０を引き抜いて、さらに奥側の開口２０４に挿入する。これにより、捕獲獣１１を次第に奥側へ追い込むことができる。
【００３０】
図３に示すように、本考案にかかる第１実施形態のキャリー籠６０は、例えば全体矩形箱状のキャリー籠本体６１を有しており、キャリー籠本体６１の前側（図３において左側）の一面が開口（開口部６１１）している。開口部６１１には、キャリー前扉６２が開閉可能に設けられる。
なお、キャリー籠本体６１およびキャリー前扉６２は、前述した捕獲籠１０と同様に、柵状あるいは網状のパネルにより構成される。
【００３１】
図４にも示すように、開口部６１１の左右両側には、上下方向に伸びるガイド部材６５、６５が設けられており、この一対のガイド部材６５、６５によってキャリー前扉６２が上下方向にスライド可能に支持される。また、キャリー前扉６２には、上方に突出する把持部６２１が設けられている。
従って、把持部６２１を持って上下移動させることにより、キャリー前扉６２は、ガイド部材６５に沿って上下スライドして開閉する。
【００３２】
図３に示すように、キャリー籠本体６１の上面６１２には、キャリー籠６０を移動させるときに把持する取っ手６３が設けられており、取っ手６３の下方の上面６１２には、アライグマ等の捕獲獣１１が爪等を出して作業者を傷付けないように、防護手段として防護プレート６４が設けられている。
防護手段としては、防護プレート６４のほかに、例えば、細かい網状体等、捕獲獣１１の爪等がキャリー籠６０の外部に突出して、作業者を傷つけるのを防止できる板状の部材を用いることができる。
【００３３】
図３および図４に示すように、キャリー籠本体６１の開口部６１１前面、すなわち、キャリー前扉６２の前方には、キャリー籠６０を捕獲籠１０に連結するキャリー側の連結手段として、スライド板６６が左右外側に突出して設けられている。
従って、図４および図５に示すように、キャリー籠６０を捕獲籠１０に連結する際には、キャリー籠６０を捕獲籠１０のガイドレール２９の上方に持ち上げ、キャリー籠６０のスライド板６６をガイドレール２９に挿入する。そして、スライド板６６をガイドレール２９に沿って下降させて、キャリー籠６０を捕獲籠１０に連結する。
なお、キャリー籠６０を捕獲籠１０から分離する場合には、取っ手６３を持って引き上げる。
【００３４】
次に、捕獲籠１０によりアライグマ等の捕獲獣１１を捕獲する動作について説明する。
図１および図２に示すように、捕獲籠１０の後扉４０を籠本体２０のガイド部材２８に沿って下降させて閉じ、エサ籠２４にエサ１２を入れてエサ台２３の所定位置に載置する。
前扉３０を上方に回動させて開け、前扉３０の支持部材３３の横部材３３２を籠本体２０の上面パネル２０１に当接させ、仕掛け部５０の棒部材５１を前方へ移動させて、棒部材５１により横部材３３２を押さえる。
これにより、前扉３０を開けて、捕獲のための仕掛けが完了する。
【００３５】
侵入口２１から捕獲籠１０の内部に侵入したアライグマ等の捕獲獣１１が奥側に進み、エサ台２３のエサ籠２４のエサ１２を手で引き寄せることにより、エサ籠２４が前方へ移動する。これにより、ワイヤロープ５２が後方へ引かれ（図２中矢印Ａ参照）、棒部材５１が後方へ移動して、前扉３０の横部材３３２から外れて、前扉３０が閉じる。
そして、ロック部２５のリング式錠２６が下降して、前扉３０をロックする。これにより、アライグマ等の捕獲獣１１は捕獲される。
【００３６】
次に、捕獲籠１０で捕獲されたアライグマ等の捕獲獣１１を移送する動作について説明する。
まず、前述したようにして、キャリー籠６０を捕獲籠１０に連結する。これは、捕獲籠１０を仕掛ける前に予め連結しておくことも可能であるが捕獲後であってもよい。
図６に示すように、アライグマ等の捕獲獣１１が捕獲されたら、捕獲籠１０の後扉４０およびキャリー籠６０のキャリー前扉６２を上方へスライドさせて開ける。これにより、捕獲籠１０とキャリー籠６０が連通する。
【００３７】
次いで、追い込み具７０を用いて、捕獲されている捕獲獣１１をキャリー籠６０に追い込む。この際、追い込み具７０は、前扉３０の前方から奥側へ挿入して捕獲獣１１を奥側、すなわちキャリー籠６０に追い込むことができる。
あるいは、複数本の追い込み具７０を、籠本体２０の側面パネル２０２、２０３の開口２０４から幅方向へ挿入して籠本体２０を貫通させて捕獲獣１１を追い込むことができる。この場合には、第１の追い込み具７０を捕獲獣１１の前方に挿入し、第２の追い込み具７０を捕獲獣１１と挿入されている第１の追い込み具７０との間に挿入し、これを順次繰り返すことにより、捕獲獣１１を奥側へ追い込む。
【００３８】
そして、捕獲獣１１をキャリー籠６０に追い込んだら、キャリー前扉６２を閉じ、取っ手６３を持ってキャリー籠６０を持ち上げ、スライド板６６をガイドレール２９の上方へ抜き取る（図４参照）。
これにより、アライグマ等の捕獲獣１１はキャリー籠６０に収容されるので、移動可能となる。
【００３９】
以上、説明した本考案に係る第１実施形態の捕獲籠１０によれば、アライグマ等の捕獲獣１１は、前扉３０が開かれた侵入口２１から捕獲籠１０内部に侵入し、エサ１２が入っているエサ籠２４に手を伸ばしてエサ１２を捕ろうとする。エサ籠２４が載置されているエサ台２３は、奥行き方向に長く、エサ籠２４が前後方向に移動可能なので、奥の方に取り付けられているエサ１２を手で引き寄せようとすると、エサ籠２４が引き寄せられる。
これにより、仕掛け部５０が作動して、前扉３０を閉じるので、アライグマのように手でエサを捕りに行く習性を有する動物を捕獲できる。
【００４０】
また、追い込み具７０を前扉３０の開口２０４から後方へ挿入することにより、あるいは、側面パネル２０２、２０３または上面パネル２０１の開口２０４から籠本体２０の幅方向へ挿入することにより、捕獲籠１０に収容されている捕獲獣１１を所望の方向へ追い込むことができる。
【００４１】
また、追い込み具７０を２個以上設けているので、側面パネル２０２、２０３あるいは上面パネル２０１の多数の開口２０４のうちの前側の開口２０４から順次奥側の開口２０４に挿入する。この際、前側の開口２０４に挿入した追い込み具７０を引き抜いて、さらに奥側の開口２０４に挿入する。
これにより、捕獲籠１０に収容されている捕獲獣１１を、捕獲籠１０の奥側へ追い込むことができる。
【００４２】
さらに、籠本体２０の後部開口２０５に設けられたガイドレール２９により、捕獲籠１０にキャリー籠６０を連結することができ、追い込み具７０を用いて捕獲獣１１をキャリー籠６０に収容することができる。
【００４３】
また、以上、説明した本考案に係る第１実施形態のキャリー籠６０によれば、スライド板６６でキャリー籠６０を捕獲籠１０の後部開口２０５に連結し、キャリー籠６０のキャリー前扉６２を開けて捕獲籠１０の捕獲獣１１をキャリー籠６０へ移動させた後、キャリー籠６０を捕獲籠１０から切り離して移動する。
これにより、捕獲籠１０で捕獲した捕獲獣１１をキャリー籠６０で容易に移動させることができるとともに、捕獲籠１０は移動させないので、捕獲獣１１の移動中に別の捕獲籠１０を設置する手間および費用を省くことができる。
【００４４】
また、キャリー籠６０の開口部６１１を開閉するキャリー前扉６２がスライド式なので、キャリー籠６０を捕獲籠１０に連結した状態で、容易に開閉することができる。
【００４５】
さらに、キャリー籠本体６１の上面６１２に取っ手６３を有するので、キャリー籠６０を容易に移動することができる。この際、取っ手６３の下方に防護プレート６４が設けられているので、取っ手６３を握る手を捕獲獣１１から保護することができる。
【００４６】
（第２実施形態）
次に、本考案にかかる第２実施形態の捕獲籠について説明する。
なお、前述した第１実施形態に係る捕獲籠１０と共通する部位には同じ符号を付して、重複する説明を省略することとする。
【００４７】
図７に示すように、第２実施形態の捕獲籠１０Ｂでは、ワイヤロープ５２を上方から覆うカバー体５３を、籠本体２０の上面パネル２０１に開閉可能に設けた。
カバー体５３は、例えば、溝形鋼あるいは板金加工で断面コ字状に形成されており、後端部５３１が、上面パネル２０１の後端部に設けられている軸受け２０６に軸支されている。
なお、カバー体５３は、少なくとも棒部材５１との連結部まで設けるようにする。
【００４８】
以上、説明した本考案に係る第２実施形態の捕獲籠１０Ｂによれば、使用時にはカバー体５３がワイヤロープ５２を覆うので、木の枝やゴミ等からワイヤロープ５２を保護して、ワイヤロープ５２の正常な動作を確保することができる。
また、カバー体５３は開閉可能なので、ワイヤロープ５２の点検・補修あるいは交換等を容易に行うことができる。
【００４９】
以上、本考案の好ましい実施例について詳述したが、本考案に係る捕獲籠１０は上述した実施例に限定されるものではなく、実用新案登録請求の範囲に記載された本考案の要旨の範囲内において、種々の変形、変更が可能である。
例えば、前述した各実施形態において、捕獲獣１１としてアライグマを例示したが、手でエサを捕る習性を有する動物であれば、その他の動物にも適用できる。
【符号の説明】
【００５０】
１０  捕獲籠
１１  捕獲獣
２０５  工具開口（開口）
６０  キャリー籠
６１  キャリー籠本体
６１１  開口部（開口）
６１２  上面
６２  キャリー前扉（扉）
６３  取っ手
６４  防護プレート（防護手段）
６６  スライド板（連結手段）
【図１】
0003170556.tif 000003
【図２】
0003170556.tif 000004
【図３】
0003170556.tif 000005
【図４】
0003170556.tif 000006
【図５】
0003170556.tif 000007
【図６】
0003170556.tif 000008
【図７】
0003170556.tif 000009
【図８】
0003170556.tif 000010